(57)【要約】【課題】参照画像を多様な表示態様で表示可能にする。一旦消去しても簡単に再表示可能にする。【解決手段】専用の表示ウインドウ（Ｗ）をモニタ（４）上に作成し、サーバから取り込んだ医用画像を参照画像として表示ウインドウ（Ｗ）に表示する。操作者の指示に応じて、表示ウインドウ（Ｗ）のサイズ／位置を変更する。操作者の非表示の指示に応じて、参照画像のデータを保存し、参照画像を非表示にする。操作者の再表示の指示に応じて、保存していたデータを読み出して参照画像を再表示にする。操作者の指示に応じて、参照画像を拡大／縮小／回転して表示する。【効果】利便性を向上できると共に、参照画像をより活用することが出来る。【選択図】図１２
2011078440.tif 000002
【特許請求の範囲】
【請求項１】
サーバに蓄積されている医用画像を参照画像として取り込む参照画像取得手段と、操作者の指示によりサイズおよび位置を変更可能な表示ウインドウをモニタ上に作成する表示ウインドウ作成手段と、前記取り込んだ参照画像を前記作成した表示ウインドウ内に表示する参照画像表示手段と、操作者の指示により前記表示ウインドウの表示／非表示を切り替える表示／非表示切替手段とを具備したことを特徴とする医用画像診断装置。
【請求項２】
サーバに蓄積されている医用画像を参照画像として取り込む参照画像取得手段と、操作者の指示によりサイズおよび位置を変更可能な表示ウインドウをタッチパネル上に作成する表示ウインドウ作成手段と、前記取り込んだ参照画像を前記作成した表示ウインドウ内に表示する参照画像表示手段と、操作者の指示により前記表示ウインドウの表示／非表示を切り替える表示／非表示切替手段とを具備したことを特徴とする医用画像診断装置。
【請求項３】
サーバに蓄積されている医用画像を参照画像として取り込む参照画像取得手段と、操作者の指示によりサイズおよび位置を変更可能な表示ウインドウを外部モニタ上に作成する表示ウインドウ作成手段と、前記取り込んだ参照画像を前記作成した表示ウインドウ内に表示する参照画像表示手段と、操作者の指示により前記表示ウインドウの表示／非表示を切り替える表示／非表示切替手段とを具備したことを特徴とする医用画像診断装置。
【請求項４】
サーバに蓄積されている医用画像を参照画像として取り込む参照画像取得手段と、操作者の指示によりサイズおよび位置を変更可能な表示ウインドウをタッチパネルまたはモニタ上に作成する表示ウインドウ作成手段と、表示ウインドウをタッチパネル上に作成するか又はモニタ上に作成するかを操作者の指示により切り替える表示装置切替手段と、前記取り込んだ参照画像を前記作成した表示ウインドウ内に表示する参照画像表示手段と、操作者の指示により前記表示ウインドウの表示／非表示を切り替える表示／非表示切替手段とを具備したことを特徴とする医用画像診断装置。
【請求項５】
サーバに蓄積されている医用画像を参照画像として取り込む参照画像取得手段と、操作者の指示によりサイズおよび位置を変更可能な表示ウインドウをタッチパネルまたはモニタまたは外部モニタ上に作成する表示ウインドウ作成手段と、表示ウインドウをタッチパネル上に作成するか又はモニタ上に作成するか又は外部モニタ上に作成するかを操作者の指示により切り替える表示装置切替手段と、前記取り込んだ参照画像を前記作成した表示ウインドウ内に表示する参照画像表示手段と、操作者の指示により前記表示ウインドウの表示／非表示を切り替える表示／非表示切替手段とを具備したことを特徴とする医用画像診断装置。
【請求項６】
請求項１から請求項５のいずれかに記載の医用画像診断装置において、操作者の指示により前記表示ウインドウ内で参照画像を拡大表示／縮小表示する拡大表示／縮小表示手段を具備したことを特徴とする医用画像診断装置。
【請求項７】
請求項１から請求項６のいずれかに記載の医用画像診断装置において、操作者の指示により前記表示ウインドウ内で参照画像を回転表示する回転表示手段を具備したことを特徴とする医用画像診断装置。
【請求項８】
請求項１から請求項７のいずれかに記載の医用画像診断装置において、該医用画像診断装置が超音波画像診断装置であることを特徴とする医用画像診断装置。
【発明の詳細な説明】
【技術分野】
【０００１】
本発明は、医用画像診断装置に関し、さらに詳しくは、参照画像を多様な態様で表示でき、一旦消去しても簡単に再表示でき、利便性を向上できると共に、参照画像をより活用することが出来る医用画像診断装置に関する。
【背景技術】
【０００２】
従来、サーバ（ｓｅｖｅｒ）に蓄積されている医用画像を取り込んで参照画像として表示することが出来る超音波診断装置が知られている（例えば、特許文献１参照。）。
【先行技術文献】
【特許文献】
【０００３】
【特許文献１】特開２００６−１６７２６７号公報（図７）
【発明の開示】
【発明が解決しようとする課題】
【０００４】
上記超音波診断装置における参照画像の表示態様は、参照画像だけを画面にフル表示する表示態様と、画面を２分割した半画面に参照画像を表示する表示態様と、画面の１／４程度の小領域に参照画像を表示する表示態様との３種類しかなかった。また、表示していた参照画像を消去し、再表示させようとすると、最初の操作（例えば画像の選択操作）からやり直す必要があった。
しかし、より多様な表示態様で参照画像を表示でき、また、参照画像を一旦消去しても簡単に再表示できれば、利便性を向上できると共に、参照画像をより活用することが出来る。
そこで、本発明の目的は、参照画像を多様な態様で表示でき、一旦消去しても簡単に再表示でき、利便性を向上できると共に、参照画像をより活用することが出来る医用画像診断装置を提供することにある。
【課題を解決するための手段】
【０００５】
第１の観点では、本発明は、サーバに蓄積されている医用画像を参照画像として取り込む参照画像取得手段と、操作者の指示によりサイズおよび位置を変更可能な表示ウインドウをモニタ上に作成する表示ウインドウ作成手段と、前記取り込んだ参照画像を前記作成した表示ウインドウ内に表示する参照画像表示手段と、操作者の指示により前記表示ウインドウの表示／非表示を切り替える表示／非表示切替手段とを具備したことを特徴とする医用画像診断装置を提供する。
上記第１の観点による医用画像診断装置では、医用画像診断装置が必ず備えているモニタ上に作成した表示ウインドウのサイズおよび位置を操作者が変更可能になる。また、表示ウインドウの表示／非表示を操作者が容易に切り替え可能になる。これにより、参照画像を多様な態様で表示でき、一旦消去しても簡単に再表示でき、利便性を向上できると共に、参照画像をより活用することが出来る。
【０００６】
第２の観点では、本発明は、サーバに蓄積されている医用画像を参照画像として取り込む参照画像取得手段と、操作者の指示によりサイズおよび位置を変更可能な表示ウインドウをタッチパネル上に作成する表示ウインドウ作成手段と、前記取り込んだ参照画像を前記作成した表示ウインドウ内に表示する参照画像表示手段と、操作者の指示により前記表示ウインドウの表示／非表示を切り替える表示／非表示切替手段とを具備したことを特徴とする医用画像診断装置を提供する。
上記第２の観点による医用画像診断装置では、医用画像診断装置がタッチパネルを備えている場合に、タッチパネル上に作成した表示ウインドウのサイズおよび位置を操作者が変更可能になる。また、表示ウインドウの表示／非表示を操作者が容易に切り替え可能になる。これにより、参照画像を多様な態様で表示でき、一旦消去しても簡単に再表示でき、利便性を向上できると共に、参照画像をより活用することが出来る。
【０００７】
第３の観点では、本発明は、サーバに蓄積されている医用画像を参照画像として取り込む参照画像取得手段と、操作者の指示によりサイズおよび位置を変更可能な表示ウインドウを外部モニタ上に作成する表示ウインドウ作成手段と、前記取り込んだ参照画像を前記作成した表示ウインドウ内に表示する参照画像表示手段と、操作者の指示により前記表示ウインドウの表示／非表示を切り替える表示／非表示切替手段とを具備したことを特徴とする医用画像診断装置を提供する。
上記第３の観点による医用画像診断装置では、医用画像診断装置に外部モニタが接続されている場合に、外部モニタ上に作成した表示ウインドウのサイズおよび位置を操作者が変更可能になる。また、表示ウインドウの表示／非表示を操作者が容易に切り替え可能になる。これにより、参照画像を多様な態様で表示でき、一旦消去しても簡単に再表示でき、利便性を向上できると共に、参照画像をより活用することが出来る。
【０００８】
第４の観点では、本発明は、サーバに蓄積されている医用画像を参照画像として取り込む参照画像取得手段と、操作者の指示によりサイズおよび位置を変更可能な表示ウインドウをタッチパネルまたはモニタ上に作成する表示ウインドウ作成手段と、表示ウインドウをタッチパネル上に作成するか又はモニタ上に作成するかを操作者の指示により切り替える表示装置切替手段と、前記取り込んだ参照画像を前記作成した表示ウインドウ内に表示する参照画像表示手段と、操作者の指示により前記表示ウインドウの表示／非表示を切り替える表示／非表示切替手段とを具備したことを特徴とする医用画像診断装置を提供する。
上記第４の観点による医用画像診断装置では、医用画像診断装置がタッチパネルを備えている場合に、表示ウインドウをタッチパネル上に作成するか又はモニタ上に作成するかを操作者が容易に切り替え可能になる。また、作成した表示ウインドウのサイズおよび位置を操作者が変更可能になる。また、表示ウインドウの表示／非表示を操作者が容易に切り替え可能になる。これにより、参照画像を多様な態様で表示でき、一旦消去しても簡単に再表示でき、利便性を向上できると共に、参照画像をより活用することが出来る。
【０００９】
第５の観点では、本発明は、サーバに蓄積されている医用画像を参照画像として取り込む参照画像取得手段と、操作者の指示によりサイズおよび位置を変更可能な表示ウインドウをタッチパネルまたはモニタまたは外部モニタ上に作成する表示ウインドウ作成手段と、表示ウインドウをタッチパネル上に作成するか又はモニタ上に作成するか又は外部モニタ上に作成するかを操作者の指示により切り替える表示装置切替手段と、前記取り込んだ参照画像を前記作成した表示ウインドウ内に表示する参照画像表示手段と、操作者の指示により前記表示ウインドウの表示／非表示を切り替える表示／非表示切替手段とを具備したことを特徴とする医用画像診断装置を提供する。
上記第５の観点による医用画像診断装置では、医用画像診断装置がタッチパネルを備えると共に外部モニタを接続している場合に、表示ウインドウをタッチパネル上に作成するか又はモニタ上に作成するか又は外部モニタ上に作成するかを操作者が容易に切り替え可能になる。また、作成した表示ウインドウのサイズおよび位置を操作者が変更可能になる。また、表示ウインドウの表示／非表示を操作者が容易に切り替え可能になる。これにより、参照画像を多様な態様で表示でき、一旦消去しても簡単に再表示でき、利便性を向上できると共に、参照画像をより活用することが出来る。
【００１０】
第６の観点では、本発明は、前記第１から前記第５のいずれかの観点による医用画像診断装置において、操作者の指示により前記表示ウインドウ内で参照画像を拡大表示／縮小表示する拡大表示／縮小表示手段を具備したことを特徴とする医用画像診断装置を提供する。
上記第６の観点による医用画像診断装置では、表示ウインドウ内で参照画像を操作者が拡大／縮小することが可能になる。これにより、参照画像を多様な態様で表示でき、利便性を向上できると共に、参照画像をより活用することが出来る。
【００１１】
第７の観点では、本発明は、前記第１から前記第６のいずれかの観点による医用画像診断装置において、操作者の指示により前記表示ウインドウ内で参照画像を回転表示する回転表示手段を具備したことを特徴とする医用画像診断装置を提供する。
上記第７の観点による医用画像診断装置では、表示ウインドウ内で参照画像を操作者が回転することが可能になる。これにより、参照画像を多様な態様で表示でき、利便性を向上できると共に、参照画像をより活用することが出来る。
【００１２】
第８の観点では、本発明は、前記第１から前記第７のいずれかの観点による医用画像診断装置において、該医用画像診断装置が超音波画像診断装置であることを特徴とする医用画像診断装置を提供する。
上記第８の観点による医用画像診断装置では、超音波画像と共に参照画像を表示することが出来る。
【発明の効果】
【００１３】
本発明の医用画像診断装置によれば、参照画像を多様な態様で表示でき、一旦消去しても簡単に再表示でき、利便性を向上できると共に、参照画像をより活用することが出来る。
【図面の簡単な説明】
【００１４】
【図１】実施例１に係る超音波診断装置を示す斜視図である。
【図２】実施例１に係る超音波診断装置による参照画像表示処理の手順を示すフロー図である。
【図３】図２の続きのフロー図である。
【図４】患者を指定するための画面の例示図である。
【図５】画像フォルダを指定するための画面の例示図である。
【図６】画像を指定するための画面の例示図である。
【図７】参照画像を表示したタッチパネルの画面を示す模式図である。
【図８】参照画像を表示したメインモニタの画面を示す模式図である。
【図９】メインモニタに作成した表示ウインドウを隠した画面を示す模式図である。
【図１０】参照画像を拡大表示するための操作をしている画面を示す模式図である。
【図１１】参照画像を回転するための操作をしている画面を示す模式図である。
【図１２】参照画像をサブモニタに表示する指示をしている画面を示す模式図である。
【図１３】参照画像を表示したサブモニタの画面を示す模式図である。
【発明を実施するための形態】
【００１５】
以下、図に示す実施の形態により本発明をさらに詳細に説明する。なお、これにより本発明が限定されるものではない。
【実施例】
【００１６】
−実施例１−
図１は、実施例１に係る超音波診断装置１００を示す斜視図である。
この超音波診断装置１００は、超音波の送受信を行うためのプローブ１と、操作者が指示やデータを入力するためのタッチパネル２および操作卓３と、超音波画像を表示するためのメインモニタ４を具備している。
また、超音波診断装置１００には、サブモニタ５が外部接続されている。
さらに、超音波診断装置１００は、回線を介して、サーバに接続されている。
【００１７】
タッチパネル２は、カラー液晶パネルを内蔵している。
操作卓３は、キーボードやトラックボールなどを備えている。
メインモニタ４は、カラー液晶パネルを内蔵している。
【００１８】
図２および図３は、超音波診断装置１００による参照画像表示処理の手順を示すフロー図である。
図２のステップＣ１では、現在診断中の患者のＩＤが設定済みならステップＣ２へ進み、設定済みでないならステップＣ３へ進む。
【００１９】
ステップＣ２では、現在診断中の患者を自動的に選択し、ステップＣ５へ進む。
【００２０】
ステップＣ３では、サーバに蓄積している参照画像の患者情報をサーバから取得し、タッチパネル２に患者リストを表示する。図４に示すように、患者リストは、患者氏名，ＩＤ番号，性別，年齢などからなる。
ステップＣ４では、患者リストの中から一人の患者を操作者が選択するまで待ち、操作者が選択したならステップＣ５へ進む。
【００２１】
ステップＣ５では、選択された患者の画像履歴情報をサーバから取得し、タッチパネル２に画像履歴フォルダを一覧表示する。図５に示すように、画像履歴フォルダは、医用画像を取得したモダリティ（Ｍｏｄａｌｉｔｙ）と撮影日時別のフォルダになっている。
【００２２】
ステップＣ６では、画像履歴フォルダの中から一つのフォルダを操作者が選択するまで待ち、操作者が選択したならステップＣ７へ進む。
ステップＣ７では、選択されたフォルダに収容されている医用画像サムネイルをサーバから取得し、図６に示すように、タッチパネル２にサムネイルを一覧表示する。
ステップＣ８では、医用画像サムネイルの中から一つのサムネイルを操作者が選択するまで待ち、操作者が選択したならステップＣ９へ進む。
【００２３】
ステップＣ９では、表示ウインドウをタッチパネル２又はメインモニタ４又はサブモニタ５に表示中でないならタッチパネル２に表示ウインドウを作成し、表示ウインドウをメインモニタ４又はサブモニタ５に表示中ならその表示ウインドウを消去すると共にタッチパネル２に表示ウインドウを作成する。
【００２４】
ステップＣ１０では、メインモニタ４へ表示ウインドウを移動するように操作者が指示したならステップＣ１１へ進み、その指示がなかったならステップＣ１２へ進む。
ステップＣ１１では、タッチパネル２又はサブモニタ５に表示中の表示ウインドウを消去すると共にメインモニタ４に表示ウインドウを作成する。
【００２５】
ステップＣ１２では、サブモニタ５へ表示ウインドウを移動するように操作者が指示したならステップＣ１３へ進み、その指示がなかったなら図３のステップＣ２１へ進む。
ステップＣ１３では、タッチパネル２又はメインモニタ４に表示中の表示ウインドウを消去すると共にサブモニタ５に表示ウインドウを作成する。
【００２６】
図３のステップＣ２１では、選択されたサムネイルに対応する医用画像をサーバから取得し、表示ウインドウにフル表示する。
図７に、タッチパネル２に作成した表示ウインドウＷに医用画像をフル表示した画面を例示する。
表示ウインドウＷ内には、「拡大」ボタン，「縮小」ボタン，「左回（転）」ボタン，「右回（転）」ボタン，「参照画像を隠す」ボタン，「メインモニタに表示する」ボタン及び「サブモニタに表示する」ボタンがある。
【００２７】
図７の表示ウインドウＷで「メインモニタに表示する」ボタンをクリックすると、ステップＣ１０〜Ｃ１１を経て、図８に示すようにメインモニタ４に表示ウインドウＷが表示される。
【００２８】
ステップＣ２２では、表示ウインドウＷのサイズまたは位置の変更が指示されたかチェックし、「サイズ／位置変更」が指示されたならステップＣ２３へ進み、指示されてないならステップＣ２４へ進む。
ステップＣ２３では、表示ウインドウＷのサイズまたは位置を変更する。そして、ステップＣ２１に戻る。
なお、表示ウインドウＷのサイズまたは位置の変更は、例えばマイクロソフト社のウインドウズ・システムでの操作・処理と同様である。
【００２９】
ステップＣ２４では、「参照画像を隠す」指示がされたかチェックし、「参照画像を隠す」が指示されたならステップＣ２５へ進み、指示されてないならステップＣ２８へ進む。
ステップＣ２５では、表示中の参照画像のデータを保存した上で表示ウインドウＷを非表示にし、「参照画像を表示する」ボタンを表示する。そして、ステップＣ２６へ進む。
【００３０】
図８の表示ウインドウＷで「参照画像を隠す」ボタンをクリックすると、ステップＣ２５を経て、図９に示すように表示ウインドウＷの代わりに「参照画像を再表示する」ボタンが表示される。
【００３１】
ステップＣ２６では、「参照画像を再表示する」指示がされるまで待機し、「参照画像を表示する」が指示されたならステップＣ２７へ進む。
ステップＣ２７では、保存していたデータを読み出して表示ウインドウＷを再表示する。そして、ステップＣ２１に戻る。
【００３２】
図９の表示ウインドウＷで「参照画像を再表示する」ボタンをクリックすると、ステップＣ２６〜Ｃ２７を経て、図１０に示すように表示ウインドウＷが再表示される。
【００３３】
ステップＣ２８では、参照画像の「拡大」または「縮小」が指示されたかチェックし、「拡大」または「縮小」が指示されたならステップＣ２９へ進み、指示されてないならステップＣ３０へ進む。
ステップＣ２９では、表示ウインドウＷ内で参照画像を拡大または縮小表示する。そして、ステップＣ３０へ進む。
【００３４】
図１０の表示ウインドウＷで「拡大」ボタンをクリックすると、ステップＣ２８〜Ｃ２９を経て、図１１に示すように表示ウインドウＷ内で参照画像を拡大する。
【００３５】
ステップＣ３０では、参照画像の「左回（転）」または「右回（転）」が指示されたかチェックし、「左回（転）」または「右回（転）」が指示されたならステップＣ３１へ進み、指示されてないなら図２のステップＣ４０へ進む。
ステップＣ３１では、表示ウインドウＷ内で参照画像を回転する。そして、図２のステップＣ４０へ進む。
【００３６】
図１１の表示ウインドウＷで「右回（転）」ボタンをクリックすると、ステップＣ３０〜Ｃ３１を経て、図１２に示すように表示ウインドウＷ内で参照画像を右回転する。
【００３７】
図２のステップＣ４０では、タッチパネル２へ表示ウインドウＷを移動するように操作者が指示したならステップＣ９へと進み、その指示がなかったならステップＣ１０へと進む。
【００３８】
なお、図１２の表示ウインドウＷで「サブモニタに表示する」ボタンをクリックすると、ステップＣ１２〜Ｃ１３を経て、図１３に示すようにサブモニタ５に表示ウインドウＷが表示される。
【００３９】
実施例１の超音波診断装置１００によれば、ＣＴ（Ｃｏｍｐｕｔｅｄ  Ｔｏｍｏｇｒａｐｈｙ）装置やＭＲＩ（Ｍａｇｎｅｔｉｃ  Ｒｅｓｏｎａｎｃｅ  Ｉｍａｇｉｎｇ）装置などで取得した医用画像を参照画像として多様な態様で表示でき、一旦非表示にしても簡単に再表示でき、利便性を向上できると共に、参照画像をより活用することが出来る。
【産業上の利用可能性】
【００４０】
本発明の医用画像診断装置は、例えばＣＴ装置やＭＲ装置などで取得した医用画像を超音波診断装置で参照画像として多様な表示態様で表示するのに利用できる。
【符号の説明】
【００４１】
１                  プローブ
２                  タッチパネル
３                  操作卓
４                  メインモニタ
５                  サブモニタ
１００              医用画像診断装置
【図１】
2011078440.tif 000003
【図２】
2011078440.tif 000004
【図３】
2011078440.tif 000005
【図４】
2011078440.tif 000006
【図５】
2011078440.tif 000007
【図６】
2011078440.tif 000008
【図７】
2011078440.tif 000009
【図８】
2011078440.tif 000010
【図９】
2011078440.tif 000011
【図１０】
2011078440.tif 000012
【図１１】
2011078440.tif 000013
【図１２】
2011078440.tif 000014
【図１３】
2011078440.tif 000015